【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
撮像ゾーンから医療画像データを取得するための医療撮像システムであって、
マシン実行可能な命令及び当該医療撮像システムを医療撮像プロトコルに従って前記医療画像データを取得するように制御する医療撮像システムコマンドを記憶するメモリと、
ユーザインターフェースと、
当該医療撮像システムを制御するためのプロセッサと、
を有し、
前記マシン実行可能な命令の実行が前記プロセッサに、
前記医療撮像システムコマンドの振る舞いを修正するための前記医療撮像プロトコルを指定するスキャンパラメータデータを受信させ、
前記ユーザインターフェースから、撮像条件を記述するメタデータを受信させ、
当該医療撮像システムの現在の構成を記述する構成データであって、該医療撮像システムの実際の機械的及び電気的構成を記述する構成データを前記メモリに記憶させ、
予め定められたモデルを用いて、前記メタデータ、前記構成データ及び前記スキャンパラメータデータを比較することにより、エラー確率を計算させ、ここで、前記エラー確率は、前記メタデータ、前記構成データ及び前記スキャンパラメータデータの間のエラーを記述し、前記予め定められたモデルは、前記メタデータ、前記構成データ及び前記スキャンパラメータデータがどの様に正しい組合せを形成するか又は該組合せが正しいか若しくは誤りである尤度を表し、
前記エラー確率が所定の閾値より高い場合に、ユーザに通知するために信号を供給することを含む予め定められた動作を実行させ、
被検者から前記医療画像データを取得するように当該医療撮像システムを制御させ、
前記信号に応答して前記ユーザインターフェースから前記ユーザに通知するための信号に対する返答を受信させ、
前記返答に従って前記医療画像データから１以上の医療画像を再構成させる、
医療撮像システム。
【請求項２】
前記予め定められた動作は前記ユーザインターフェース上にメタデータパラメータ補正ボックスを表示することを含み、該メタデータパラメータ補正ボックスが前記メタデータの少なくとも一部を補正するためのプロンプトを有する、請求項１に記載の医療撮像システム。
【請求項３】
前記マシン実行可能な命令の実行が前記プロセッサに、前記医療画像データの取得の前に及び／又は該医療画像データの取得の間に、前記メタデータパラメータ補正ボックスを表示させる、請求項２に記載の医療撮像システム。
【請求項４】
前記エラー確率の計算が、前記メタデータにおける被検者の向きと、前記構成データから決定される向きとを比較することを含む、請求項２に記載の医療撮像システム。
【請求項５】
前記エラー確率の計算が、前記メタデータにおける解剖学的領域の指定と、前記構成データから決定される解剖学的領域とを比較することを含む、請求項２に記載の医療撮像システム。
【請求項６】
前記マシン実行可能な命令の実行が前記プロセッサに、一群の推奨されるメタデータ補正を前記メタデータパラメータ補正ボックスに表示させる、請求項２に記載の医療撮像システム。
【請求項７】
前記予め定められた動作は前記ユーザインターフェース上にスキャンパラメータ補正ボックスを表示することを含み、該スキャンパラメータ補正ボックスは少なくとも１つのスキャンパラメータを補正するためのプロンプトを有し、前記マシン実行可能な命令の実行が前記プロセッサに前記医療画像データの取得の前に前記スキャンパラメータ補正ボックスを表示させる、請求項１に記載の医療撮像システム。
【請求項８】
前記マシン実行可能な命令の実行が前記プロセッサに一群の推奨されるスキャンパラメータ補正を前記スキャンパラメータ補正ボックスに表示させる、請求項７に記載の医療撮像システム。
【請求項９】
前記メタデータに係る前記撮像条件は、前記被検者の向き、前記被検者の年齢、前記被検者の体重、前記医療画像が造影剤を用いて取得されたか又は用いないで取得されたかの指定、前記医療撮像プロトコルのスキャンタイプ、及び該医療撮像プロトコルのスキャン名のうちの少なくとも１つを有する、請求項１に記載の医療撮像システム。
【請求項１０】
前記構成データに係る前記医療撮像システムの前記現在の構成が、
接続されたコイルのタイプ、
前記被検者の身体位置の画像、
前記被検者上の位置合わせマーカの位置、
前記被検者の体重を記述した重量センサデータ、
前記被検者の調査磁気共鳴画像又は偵察磁気共鳴画像からのデータ、
前記被検者を照射するためのＣＴ又はＸ線システムの供給線量、
前記被検者の体重、及び
当該医療撮像システムの被検者サポートの位置、
のうちの少なくとも１つを有する、請求項１に記載の医療撮像システム。
【請求項１１】
前記１以上の医療画像が前記メタデータを有する、請求項１に記載の医療撮像システム。
【請求項１２】
前記予め定められたモデルが、決定ツリー、統計的尤度モデル、主成分分析モデル、機械学習モデル、及びニューラルネットワークのうちの少なくとも１つである、請求項１に記載の医療撮像システム。
【請求項１３】
当該医療撮像システムが、磁気共鳴撮像システム、Ｘ線マシン、コンピュータトモグラフィシステム、ＰＥＴシステム、及びＳＰＥＣＴシステムのうちの少なくとも１つを有する、請求項１に記載の医療撮像システム。
【請求項１４】
医療撮像システムを制御するプロセッサにより実行するためのマシン実行可能な命令を有する非一時的コンピュータ可読媒体であって、前記医療撮像システムは撮像ゾーンから医療画像データを取得し、該医療撮像システムはユーザインターフェースを有し、前記マシン実行可能な命令の実行が前記プロセッサに、
前記医療撮像システムを医療撮像プロトコルに従って前記医療画像データを取得するように制御する医療撮像システムコマンドの振る舞いを修正するために、前記医療撮像プロトコルを指定するスキャンパラメータデータを受信させ、
前記ユーザインターフェースから、撮像条件を記述するメタデータを受信させ、
前記医療撮像システムの現在の構成を記述する構成データであって、該医療撮像システムの実際の機械的及び電気的構成を記述する構成データをメモリに記憶させ、
予め定められたモデルを用いて、前記メタデータ、前記構成データ及び前記スキャンパラメータデータを比較することにより、エラー確率を計算させ、ここで、前記エラー確率は、前記メタデータ、前記構成データ及び前記スキャンパラメータデータの間のエラーを記述し、前記予め定められたモデルは、前記メタデータ、前記構成データ及び前記スキャンパラメータデータがどの様に正しい組合せを形成するか又は該組合せが正しいか若しくは誤りである尤度を表し、
前記エラー確率が所定の閾値より高い場合に、ユーザに通知するために信号を供給することを含む予め定められた動作を実行させ、
被検者から前記医療画像データを取得するように前記医療撮像システムを制御させ、
前記信号に応答した前記ユーザインターフェースからの返答を受信させ、
前記返答に従って前記医療画像データから１以上の医療画像を再構成させる、
非一時的コンピュータ可読媒体。
【請求項１５】
撮像ゾーンから医療画像データを取得する医療撮像システムを動作させる方法であって、前記医療撮像システムはユーザインターフェースと、マシン実行可能な命令を記憶するためのメモリと、プロセッサとを有し、前記マシン実行可能な命令の実行が前記プロセッサに、
前記医療撮像システムを医療撮像プロトコルに従って前記医療画像データを取得するように制御する医療撮像システムコマンドの振る舞いを修正するために、前記医療撮像プロトコルを指定するスキャンパラメータデータを受信させ、
前記ユーザインターフェースから、撮像条件を記述するメタデータを受信させ、
前記医療撮像システムの現在の構成を記述する構成データであって、該医療撮像システムの実際の機械的及び電気的構成を記述する構成データをメモリに記憶させ、
予め定められたモデルを用いて、前記メタデータ、前記構成データ及び前記スキャンパラメータデータを比較することにより、エラー確率を計算させ、ここで、前記エラー確率は、前記メタデータ、前記構成データ及び前記スキャンパラメータデータの間のエラーを記述し、前記予め定められたモデルは、前記メタデータ、前記構成データ及び前記スキャンパラメータデータがどの様に正しい組合せを形成するか又は該組合せが正しいか若しくは誤りである尤度を表し、
前記エラー確率が所定の閾値より高い場合に、ユーザに通知するために信号を供給することを含む予め定められた動作を実行させ、
被検者から前記医療画像データを取得するように前記医療撮像システムを制御させ、
前記信号に応答した前記ユーザインターフェースからの返答を受信させ、
前記返答に従って前記医療画像データから１以上の医療画像を再構成させる、
方法。